(57)【特許請求の範囲】
【請求項１】
紙おむつの長手方向に沿って吸収体を設け、この吸収体の両側外側へ延出するサイドフラップ部を備え、このサイドフラップ部は使用面側シート及び裏面側シートにより紙おむつの本体として一体的に形成され、
背側の両側部には紙おむつを着用者に止め付けるためのファスニングテープをそれぞれ固定され、
前記サイドフラップ部両側それぞれにおいて、長手方向の前後に離間して外側縁から内側に切込まれて回り込み部分をなす股間部分を形成し、その一方の股間部分に止着テープの基部が固定され、
前記ファスニングテープにより着用者に止め付けられた紙おむつ上にパンツが着用された状態で、前記パンツの股下部分の外側に、前記両股間部分が回り込んで当てがわれ、かつ、その回り込みによりおむつにおける幅狭の脚回り部分を形成し、前記止着テープにより連結され、紙おむつの前記パンツに対する固定が図られる構成としたことを特徴とするパンツ併用紙おむつ。
【請求項２】
前記使用面側の両側部にバリヤカフスを備え、このバリヤカフスは、バリヤシートに固着された弾性伸縮部材の収縮力により使用面側に突出するものであり、前記バリヤシートがサイドフラップ部の使用面側シートとされ、前記止着テープの基部が前記バリヤシートに固定されている請求項１記載のパンツ併用紙おむつ。
【発明の詳細な説明】
【０００１】
【産業上の利用分野】
本発明は、ウイング状のズレ止め防止手段を有するパンツ併用紙おむつに関する。
【０００２】
【従来の技術】
近年、利用に供されている紙おむつは、排泄物の漏れを効果的に防止するために、脚回りに立体的に起立するバリヤカフスを設けたり、おむつ側部に縦方向に排泄した弾性伸縮部材によりガスケットカフスを形成し、さらには腰部に弾性伸縮部材を配設し、ギャザーを形成したりしている。
【０００３】
しかし、これらのバリヤカフス、ガスケットカフス等の機能を有効に発揮させるためには、おむつのズレを効果的に防止する必要がある。紙おむつは、使用中の歩行や運動等によって局部との相対位置がズレ易く、かかる場合には排泄物の漏れが生じ易くなる。したがって、かかるズレを効果的に防止することが重要課題となる。
【０００４】
従来より、かかる紙おむつのズレ防止の手段としては、パンツ内に紙おむつを宛がう場合、紙おむつの外面側シート（不透液性シート）の外側面にずれ止め防止用の接着剤を塗布し、パンツ裏面との接着によってかかるズレを防止していた。
【０００５】
【発明が解決しようとする課題】
しかしながら、前記ずれ止め用接着剤による場合には、紙おむつの展開状態で塗布しなければならないため、一度に塗布することができず、生産性が悪い。また、その接着剤塗布のための材料および塗布工程を必要とし、その分コスト増になるなどの問題がある。また、そのズレ止め効果も充分なものではない。
【０００６】
そこで本発明の主たる課題は、紙おむつのズレを効果的に防止するとともに、製作性およびパンツとの一体性に優れたパンツ併用紙おむつを提供するものである。
【０００７】
【課題を解決するための手段】
前記課題を解決した本発明は、次記のとおりである。
＜請求項１項記載の発明＞
紙おむつの長手方向に沿って吸収体を設け、この吸収体の両側外側へ延出するサイドフラップ部を備え、このサイドフラップ部は使用面側シート及び裏面側シートにより紙おむつの本体として一体的に形成され、
背側の両側部には紙おむつを着用者に止め付けるためのファスニングテープをそれぞれ固定され、
前記サイドフラップ部両側それぞれにおいて、長手方向の前後に離間して外側縁から内側に切込まれて回り込み部分をなす股間部分を形成し、その一方の股間部分に止着テープの基部が固定され、
前記ファスニングテープにより着用者に止め付けられた紙おむつ上にパンツが着用された状態で、前記パンツの股下部分の外側に、前記両股間部分が回り込んで当てがわれ、かつ、その回り込みによりおむつにおける幅狭の脚回り部分を形成し、前記止着テープにより連結され、紙おむつの前記パンツに対する固定が図られる構成としたことを特徴とするパンツ併用紙おむつ。
【０００８】
＜請求項２項記載の発明＞
前記使用面側の両側部にバリヤカフスを備え、このバリヤカフスは、バリヤシートに固着された弾性伸縮部材の収縮力により使用面側に突出するものであり、前記バリヤシートがサイドフラップ部の使用面側シートとされ、前記止着テープの基部が前記バリヤシートに固定されている請求項１記載のパンツ併用紙おむつ。
【０００９】
【作用】
本発明の紙おむつにおいては、紙おむつの長手方向に沿って吸収体を設け、この吸収体の両側からそれぞれ外側へ延出して両側部分となるサイドフラップ部を備え、背側の両側部には紙おむつを着用者に止め付けるためのファスニングテープを有し、前記サイドフラップ部の長手方向中間部分がパンツの外側に回り込んで当てがわれるものである。
【００１０】
したがって、パンツの外側に回り込んで当てがわれた前記サイドフラップ部によってパンツの股間部分が挟まれ、紙おむつが一体的にしっかりと固定されるため、従来のように接着剤のみによってズレを防止する方法に比べると、ズレ防止効果の高いものとなる。
【００１１】
通常、紙おむつは、平面的に方形形状に製作された後、脚回り部分が幅狭となるように切り取られ、最終的に砂時計形状に成形されるが、この場合の前記切取り部分をパンツの外側に回り込んで当てがわれる回り込み部分に利用することにより、製作工程をほとんど追加することなく、簡単に前記回り込み部分を形成することができ、製作の容易化を図り得るとともに、また元々廃棄処理されている部分を活用するものであるため資材の有効利用にも繋がる。
【００１２】
本発明の紙おむつにおいては、パンツに対して固定するために、サイドフラップ部両外側縁において、長手方向に離間して側縁から内方に切込みを入れて、回り込み部分をそれぞれ形成することができる。
【００１３】
したがって、パンツの外側に回り込んで当てがわれた前記回り込み部分によってパンツの股間部分が挟まれ、紙おむつが一体的にしっかりと固定されるため、従来のように接着剤のみによってズレを防止する方法に比べると、ズレ防止効果の高いものとなる。
【００１４】
特に、図３に示すように、パンツ１１の股間部側縁から外側に回り込ませたサイドフラップ部の回り込み部分ＦWの折り返し線の長手方向長さＬＬは、止着テープ１０の長手方向長さＬよりが長くなっているので、回り込み部分ＦW全体がパンツ１１の裏面に面し、折り返し線がパンツ１１の股間部側縁に当接するので、紙おむつの長手方向のズレ、及び長手方向線に対する傾きによるズレがなく、パンツに一体的にしっかりと固定される。
【００１５】
パンツに対して紙おむつを先に固定することによりパンツ感覚で使用することもできる。
【００１６】
他方、バリヤシートに固着された弾性伸縮部材の収縮力により、使用面側に突出するバリヤカフスが製品の両側部に形成されものにおいて、前記バリヤシートがサイドフラップ部の構成素材とされ、止着テープの基部が前記バリヤシートに固定されている形態を採ると、図２から直ちに判るように、回り込み部分のパンツの外面への回し込み及び止着テープの止着時の張る力により、バリヤシートが側方に引っ張られがちとなることにより、バリヤカフスの使用面側の起立が確実となる。
【００１７】
【実施例】
以下、本発明を実施例に基づき詳述する。
図１において、紙おむつは、ポリエチレン等からなる不透液性シート１と、不織布などからなる透液性シート２と、さらに前記不透液性シート１と透液性シート２との間に介在された、綿状パルプ等からなる、たとえば長方形若しくは砂時計形状のある程度剛性を有する吸収体３とから構成されている。また、腹側および背側の縁部には、不透液性シート１と透液性シート２との間に発泡ウレタンなどからなる弾性伸縮バンド８、８が介在されており、背側の両側部にはそれぞれファスニングテープ６、６が固着されている。なお、前記吸収体３はその形状保持のために吸収紙（図示しない）により包むこともできる。
【００１８】
前記不透液性シート１は、吸収体３の周囲より外方に延在して方形をなしており、その側方の延在部は、後述するバリヤシート４および透液性シート２の側部とともに、サイドフラップ部Ｆを構成している。透液性シート２は長方形をなし、脚回り部分では吸収体３の側縁より若干外方に延在し、不透液性シート１とホットメルト接着剤などにより固着されている。前記バリヤシート４の形成材料としては、プラスチックシートを使用することもできるが、肌の感触性の点で、不織布にシリコンなどにより撥水処理をしたものが好適に用いられる。
【００１９】
一方、紙おむつの両側部には、使用面側に突出するバリヤカフスＢ、Ｂが形成されている。このバリヤカフスＢは、図示のように、実質的に幅方向に連続したバリヤシート４が内折りにされて２重に形成されたものであり、その内方に一本の弾性伸縮部材５または必要により複数本の弾性伸縮部材が固着され、前記バリヤカフスＢを起立させている。また、バリヤカフスＢの外側部分には、たとえば４本のガスケットカフス用弾性伸縮部材７、７…が不透液性シート１にホットメルト接着剤などにより固着されている。このバリヤカフスＢ、Ｂは、着用者の脚回りに当接し、そのバリヤカフスＢ、Ｂと透液性シート２とで囲まれる、上方開口のほぼ台形の空間によって、尿または軟便の閉じ込め空間を形成し、この空間内に排尿されると、その尿は透液性シート２を通過して吸収体３内に吸収されるとともに、軟便固形分については、バリヤカフスＢ、Ｂがバリヤー（障壁）になってその乗り越えが防止される。仮に、バリヤカフスＢ、Ｂを乗り越えて横方向に尿が漏れたとしても、弾性伸縮部材７、７…によって形成されるガスケットカフスにより横漏れが防止される。なお、９は吸収体３を舟形に成形するために用いる形状保持用弾性伸縮部材であり、この弾性伸縮部材９によって、紙おむつの着用時に、ある程度剛性のある吸収体３を舟形に折り曲げ、着用者の身体にフィットした形状に保持させることができる。
【００２０】
一般的な紙おむつの場合、前記サイドフラップ部Ｆの不透液性シート１とバリヤシート４とが張り合わされた部分の一部が、半楕円形状に切り取られ、脚回り部分を幅狭として全体が砂時計形状に形成されるが、本発明においては、前記切り取り部分を回り込み部分ＦW として利用する。
【００２１】
具体的には、不透液性シート１とバリヤシート４とによって全体が方形に形成された後、前記サイドフラップ部Ｆにおいて、紙おむつ長手方向の上下部のそれぞれに、円弧状の切込み線Ｃ、Ｃ…を入れ、この範囲のフラップ部分ＦW を図２に示すように外面側に折り返し自在とし、使用状態では図３に示すように、紙おむつの外側に装着されるパンツ１１の股間部側縁から外側に回し込んでパンツ外面にそれぞれ当てがわれ止着される回り込み部分ＦW となる。この回り込み部分ＦW の固定は、図示のように、該フラップＦW に固定された止着テープ１０により行う。また、図示しないが、前記回り込み部分ＦW のパンツ接触面に対してずれ止めテープを貼着し、または接着剤を塗布することによってパンツに対する止着を行ってもよい。また、前記回り込み部分ＦW の形状としては、たとえば図４に示されるように、見栄え等の点から前記サイドフラップ部Ｆから形取って、図示のような山状に形成することでもよい。
【００２２】
製作工程の省力化、および資材の有効利用の点等からは前述の要領によって、サイドフラップ部Ｆの切捨て部分を利用して、前記回り込み部分ＦW を形成するのが望ましい。
【００２３】
また、本発明において、紙おむつの上にパンツが装着されることを前提とするため、たとえば図５に示されるように、不透液性シート面側にパンツと接着させるためのずれ止めテープ１２、１２を設けておくことで、さらに紙おむつのズレ止め効果が向上する。
【００２４】
【発明の効果】
以上詳説のとおり、本発明によれば、製作工程を複雑化することなく簡単に、ズレ防止効果の高い紙おむつを得ることができる。また、パンツとの一体性に優れたものとなる。
【図面の簡単な説明】
【図１】  本発明に係る紙おむつの展開状態一部破断平面図である。
【図２】  回り込み部分の折り返し状態を示す要部斜視図である。
【図３】  紙おむつのパンツへの装着状態を示す図である。
【図４】  他の回り込み部分形状の例を示す平面図である。
【図５】  ずれ止めテープを設けた場合の概略平面図である。
【符号の説明】
１…不透液性シート、２…透液性シート、３…吸収体、４…バリヤシート、７…弾性伸縮部材、Ｂ…バリヤカフス、Ｆ…サイドフラップ部、ＦW …回り込み部分。
【図１】
0003734772.tif 000002
【図２】
0003734772.tif 000003
【図３】
0003734772.tif 000004
【図４】
0003734772.tif 000005
【図５】
0003734772.tif 000006